(57)【要約】【課題】換気口から吹き出される空気中に含まれる粉塵、花粉等を除去することができる簡易型構造をもつ換気口用フィルタ装置を得る。【解決手段】換気吹き出し空気中に含まれる粉塵、花粉等を除去するように換気口１２に臨んで設けられる換気口用フィルタ装置１０を、換気口の吹き出し方向に軸線方向を合わせた状態で該換気口に所定間隔をおいて配置される筒状保湿材１３と、この筒状保湿材の反換気口側の端部を覆うように付設される蓋体１４と、この蓋体の内側面に設けられ前記粉塵、花粉等を吸着可能な吸着材となる水、オイル等を湿らせたガーゼ等の布材１５とによって構成する。【選択図】        図１
2004150648.tif 000002
【特許請求の範囲】
【請求項１】
換気口から吹き出される空気中に含まれる粉塵、花粉等を除去するように換気口に臨んで設けられる換気口用フィルタ装置であって、
換気口の吹き出し方向に軸線方向を合わせた状態で該換気口に所定間隔をおいて配置される筒状保湿材と、
この筒状保湿材の反換気口側の端部を覆うように付設される蓋体とを備え、
この蓋体の内側面に、前記粉塵、花粉等を吸着可能な吸着材を設けたことを特徴とする換気口用フィルタ装置。
【請求項２】
請求項１記載の換気口用フィルタ装置において、
前記吸着材として、水、オイル等を湿らせたガーゼ等の布材を用いたことを特徴とする換気口用フィルタ装置。
【請求項３】
請求項２記載の換気口用フィルタ装置において、
水、オイル等を湿らせた高分子吸収材からなるリング体を、前記吸着剤に付設したことを特徴とする換気口用フィルタ装置。
【発明の詳細な説明】
【０００１】
【発明の属する技術分野】
本発明は、室内空気の換気システムにおいて、室内に吹き出される空気中に含まれる粉塵、花粉等を除去することができる換気口用フィルタ装置に関する。
【０００２】
【従来の技術】
一般住宅等の建物において、たとえば特開平１０−１１０９９２号公報等に示されるように、各フロアの全ての部屋の換気を集中的に行うセントラル型の換気システムを設けることが知られている。このような換気システムを設けると、建物外部の新鮮な空気を室内に取り入れるとともに、室内の空気を建物外部に排出することで、室内の換気を行えるのである。
【０００３】
ところで、上述したような室内空気を換気するための換気システムを設けた際に問題となることに、外気中に含まれる粉塵、花粉等による汚染物質の除去がある。すなわち、単純に取り込んだ外気中には、上述した粉塵や花粉等が混入していることは避けられない。したがって、このような外気中に含まれる粉塵等を除去して室内に吹き出す空気の清浄度を上げるために、適宜のフィルタ手段を外気取り込み経路の一部に付設するが従来から行われている。
【０００４】
【発明が解決しようとする課題】
しかし、単純なフィルタを設けただけでは、外気汚染の度合いにもよるが、該フィルタに目詰まり等が生じやすいものであり、頻繁なメンテナンスを要し、その作業も面倒かつ煩雑で、メンテナンスコストが嵩むという問題があった。
【０００５】
このような目詰まり問題が比較的少ない電気集塵機能を用いたフィルタ装置を用いることも考えられるが、装置自体のコストが高くなるという問題があった。また、このような粉塵等を除去できる手段としては、飲食店、工場等で使用される大がかりな清浄装置もあるが、これを一般的な建物の換気用に用いることはトータルコスト面で問題であって、実用的ではない。
【０００６】
本発明はこのような事情に鑑みてなされたものであり、換気口から吹き出される空気中に含まれる粉塵、花粉等を確実に除去できるとともに、目詰まり等も生じにくくメンテナンスの面でも有利である簡易型構造をもつ換気口用フィルタ装置を得ることを目的とする。
【０００７】
【課題を解決するための手段】
このような目的に応えるために本発明（請求項１記載の発明）に係る換気口用フィルタ装置は、換気口から吹き出される空気中に含まれる粉塵、花粉等を除去するように換気口に臨んで設けられる換気口用フィルタ装置であって、換気口の吹き出し方向に軸線方向を合わせた状態で該換気口に所定間隔をおいて配置される筒状保湿材と、この筒状保湿材の反換気口側の端部を覆うように付設される蓋体とを備え、この蓋体の内側面に、前記粉塵、花粉等を吸着可能な吸着材を設けたことを特徴とする。
【０００８】
本発明（請求項２記載の発明）に係る換気口用フィルタ装置は、上述した請求項１記載の装置を具体的に限定したものであって、吸着材として、水、オイル等を湿らせたガーゼ等の布材を用いたことを特徴とする。
また、本発明（請求項３記載の発明）に係る換気口用フィルタ装置は、上述した請求項２記載の装置をさらに具体的に限定したものであって、水、オイル等を湿らせた高分子吸収材からなるリング体を、前記吸着剤に付設したことを特徴とする。
【０００９】
本発明によれば、一端を蓋体で閉塞した筒状保湿材の他端を、換気口に所定間隔をおいて臨ませた状態で設け、かつ筒状保湿材内で前記蓋体の内側面に、水、オイル等を湿らせたガーゼ布等の布材からなる吸着材を設けることにより、換気口の吹き出し部分に装着することができる。
【００１０】
このような筒状保湿材の一端側で蓋体により保持されている吸着材に向かって換気口から吹き出し方向に向かって空気を吹き出し、この空気を、前記吸着材に一旦衝突させてから換気口と筒状保湿材の他端との間の空隙を通過させて側方に吹き出させることにより、該空気中に含まれた粉塵、花粉等が吸着材などに吸着し、その殆どが除去されることになる。また、吸着材は、筒状保湿材によって長期にわたって湿らせた状態とすることができる。
【００１１】
【発明の実施の形態】
図１ないし図３は本発明に係る換気口用フィルタ装置の一実施の形態を示すものであり、これらの図において、本発明を特徴づける換気口用フィルタ装置１０を適用して好適な換気システム１の概要を、図３を用いて以下に説明する。
【００１２】
この換気システム１は、上下に二つのフロアを有する二階建ての建物における室内を換気可能なものであって、建物内において複数の部屋への換気を集中して行う、いわゆるセントラル型と呼ばれるものである。この換気システム１は、室内と室外との間を連通する筒状の配管と、この配管の内部における強制的な空気の流れを形成する換気ユニット本体２とを備えている。そして、この換気ユニット本体２および配管が、建物の同一フロアの換気をするために建物の各フロア毎に独立して形成されている。
【００１３】
具体的には、換気システム１の一階用として、一階用換気ユニット本体２Ａと、それに関する一階用の配管とからなる一階用換気装置１Ａが一階の天井部分に配置されている。また、二階用として、二階用換気ユニット本体２Ｂと、二階用の配管とからなる二階用換気装置１Ｂが二階の天井部分に配置されている。
なお、この例では、これらの一階用換気装置１Ａと二階用換気装置１Ｂとは、縦方向の配管等により連結されることなく、一階及び二階の各フロア毎に独立して配置され、独立して運転可能に形成されている。
【００１４】
前記配管は、建物の外部の空気を室内に取り入れるために建物の外部から換気ユニット本体２に連通する外部吸入配管３と、この外部吸入配管３から吸入された空気を換気ユニット本体２を介して建物の同一フロアの室内に供給する室内供給配管４と、その室内供給配管４が配置された室内と同一フロアの室内の空気を換気ユニット本体２に吸入する室内吸入口５と、この室内吸入口５から吸入された空気を外部に排気するために換気ユニット本体２から外部まで連通する外部排気配管６とを備えている。
【００１５】
ここで、この例での換気システム１は、一階用換気装置１Ａと、二階用換気装置１Ｂとの二つに独立して形成されているため、上述した配管等の機器は、一階用と二階用とでそれぞれ別個に有している。すなわち、一階用換気装置１Ａは、一階用換気ユニット本体２Ａと、一階用外部排気配管６と、一階用外部吸入配管３と、一階用室内吸入口５と、一階用室内供給配管４とを備えている。また、二階用換気装置１Ｂは、二階用換気ユニット本体２Ｂと、二階用外部排気配管６と、二階用外部吸入配管３と、二階用室内吸入口５と、二階用室内供給配管４とを備えている。
【００１６】
また、前記換気ユニット本体２（２Ａ，２Ｂ）は、図示は省略したが、電動モータと、この電動モータにより回転する多数の羽根とからなり、回転する羽根により発生する強制的な空気の流れを利用して、配管の内部の空気を強制的に移動させることができるものである。すなわち、外部吸入配管３の空気を室内供給配管４に向かって、あるいは室内吸入口５からの空気を外部排気配管６に向かって強制的に移動させることができるものである。
【００１７】
また、この換気ユニット本体２は、特に図示しないが、室内側に位置する室内吸入口５から吸入されて外部排気配管６から室外に排出される空気と、室外側に位置する外部吸入配管３から吸入されて室内供給配管４から室内に供給される空気との間で、熱交換をする熱交換部を備えている。このような熱交換部を設けると、室外に排出される空気と室内に供給される空気とで内部の空気を直接、混合させることなく、熱の移動のみを行うことができるのである。
【００１８】
上述したような換気システム１によれば、各フロアにおいて、外部吸入配管３から建物の外部の空気を吸入し、吸入した空気を、換気ユニット本体２を介して室内供給配管４により建物の同一フロアの室内に供給する。これにより、建物外部の新鮮な空気が同一フロアの室内に供給されることになる。一方、室内の空気は、室内吸入口５から換気ユニット本体２に吸入され、そこから外部排気配管６により、建物の外部に排出される。これにより、室内の空気を建物の外部に排出することができる。したがって、建物の内部の室内の空気と、建物の外部の空気との一部を交換することができ、いわゆる同一フロアにおける室内の換気をすることができる。
【００１９】
以上のような換気システム１において、室内供給配管４の室内側の先端には、各フロアの天井１１の室内側表面に開口するように、換気口として空気吹き出し口１２が設けられている。そして、この空気吹き出し口１２の開口端部分に臨んで、本発明を特徴づける換気口用フィルタ装置１０が配置され、空気吹き出し口１２から吹き出される空気中に含まれる粉塵、花粉等を簡単かつ適切に除去することができるように構成されている。
【００２０】
すなわち、本発明によれば、空気吹き出し口１２から吹き出される空気中に含まれる粉塵、花粉等を除去するように空気吹き出し口１２に臨んで設けられる換気口用フィルタ装置１０を、図１および図２に示すように、空気吹き出し口１２の吹き出し方向に軸線方向を合わせた状態で該空気吹き出し口１２に所定間隔をおいて配置される筒状保湿材１３と、この筒状保湿材１３の反吹き出し口１２側の端部を覆うように付設される蓋体１４と、この蓋体１４の内側面に設けられ粉塵、花粉等を吸着可能な吸着材として水、オイル等を湿らせたガーゼ等の布材１５とによって構成したところに特徴を有している。
【００２１】
ここで、図中１６は上記の換気口用フィルタ装置１０を天井１１等に組み付けるための保持部材で、この保持部材１６は天井１１等で空気吹き出し口１２の近傍に固定されるとともに、前記蓋体１４を天井１１等に所定間隔をおいて保持する脚部などを備えている。なお、このような保持部材１６の形状、構造等としては適宜の変形例が考えられる。要は、筒状保湿材１３、吸着材としての布材１５を保持した蓋体１５を空気吹き出し口１２に所定間隔をおいて保持できる構造であればよい。
【００２２】
このような構成によるフィルタ装置１０は、一端（室内側の端部）を蓋体１４で閉塞した筒状保湿材１３の他端を、空気吹き出し口１２の吹き出し方向に所定間隔をおいて臨ませた状態で設け、かつこのときに筒状保湿材１３内で前記蓋体１４の内側面に、水、オイル等を湿らせたガーゼ布等の布材１５を載せておくことにより、換気口（空気吹き出し口１２）の吹き出し部分に装着される。
【００２３】
そして、空気吹き出し口１２から空気が吹き出され、筒状保湿材１３の他端（天井１１側）から内部に向かって空気が流れると、この空気は、前記吸着材としての布材１５に一旦衝突してから跳ね返り、空気吹き出し口１２と筒状保湿材１３の他端（天井１１側）との間に形成されている空隙部分を通過して側方に吹き出されることになる。このとき、該空気中に含まれた粉塵、花粉等は上記の衝突時に湿った布材１５に吸着され、その殆どが除去されることになる。
ここで、吸着材としての布材１５は、筒状保湿材１３によって長期にわたって湿らせた状態とすることができる。
【００２４】
したがって、このような構成によれば、吹き出し空気中に含まれる粉塵、花粉等を簡単かつ確実に除去できるとともに、従来のようなフィルタ部分での目詰まり等も生じにくく、メンテナンスの面でも有利である簡易型構造をもつ換気口用フィルタ装置１０を得ることができる。
【００２５】
特に、この換気口用フィルタ装置１０によれば、粉塵、花粉等の殆どを吸着除去する吸着材がガーゼ等の布材１５からなり、これを水やオイル等で湿らせておくだけでよいため、その利点は大きい。また、上記の布材１５は、筒状保湿材１３の存在によりある程度の期間毎に取り替えるだけでよく、しかもガーゼ等であれば使い捨てでよいから、手間の面でも、またコスト的にも優れている。
【００２６】
図３は本発明の別の実施の形態を示すものであって、この実施の形態では、上記のガーゼ等の布材１５の廻りで、筒状保湿材１３と蓋体１４との間に、高分子吸収材からなるリング体２１を配設し、該リング体２１に水またはオイル等を含ませている。
【００２７】
このようにすれば、ガーゼ等の布材１５に長期にわたって水等を供給することができるから、吸着材としての効果がより一層長期にわたって期待できるものであり、フィルタ装置１０としてのメンテナンスの頻度が少なくて良くなる。
【００２８】
なお、本発明は上述した実施の形態で説明した構造には限定されず、換気口用フィルタ装置１０を構成する各部の形状、構造等を適宜変形、変更し得ることはいうまでもない。
【００２９】
また、本発明に係る換気口用フィルタ装置１０は、上述した実施の形態で説明したような換気システム１に限らず、同様に空気が吹き出されるところに設けられることにより、粉塵や花粉を除去することが必要なフィルタ装置であれば適用して効果を発揮し得るものである。
【００３０】
【発明の効果】
以上説明したように本発明によれば、換気口から吹き出される空気中に含まれる粉塵、花粉等を簡単かつ確実に除去できるとともに、従来のような目詰まり等も生じにくくメンテナンスの面でも有利である簡易型構造をもつ換気口用フィルタ装置を得ることができる。
【図面の簡単な説明】
【図１】本発明に係る換気口用フィルタ装置の一実施の形態を示す要部拡大断面図である。
【図２】図１の換気口用フィルタ装置を説明するための概略分解斜視図である。
【図３】本発明に係る換気口用フィルタ装置を適用する換気システムの概略模式図である。
【図４】本発明に係る換気口用フィルタ装置の別の実施の形態を示す要部の分解図である。
【符号の説明】
１…換気システム、２…換気ユニット本体、３…外部吸入配管、４…室内供給配管、５…室内吸入口、６…外部排気配管、１０…換気口用フィルタ装置、１１…天井、１２…空気吹き出し口（換気口）、１３…筒状保湿材、１４…蓋体、１５…湿らせたガーゼ等からなる布材（吸着材）、１６…シール材、２１…高分子吸収材からなるリング体。
【図１】
2004150648.tif 000003
【図２】
2004150648.tif 000004
【図３】
2004150648.tif 000005
【図４】
2004150648.tif 000006